(57)【要約】      （修正有）【課題】干渉源となる基地局のセル半径を適切に制御することで、各基地局において適切なセルを形成する。【解決手段】基地局間通信が可能な複数の基地局２０と、いずれかの当該基地局に無線接続可能な移動局３０と、から構成される無線通信システムにおいて、基地局２０が、自局の設置状況に基づくセル情報を記憶しておき、移動局３０が、無線通信において干渉を検出すると、当該干渉を検出した位置に関する位置情報を含む干渉情報を送信し、基地局２０が、移動局３０が送信した干渉情報を取得し、自局が干渉源であると判断すると、当該干渉情報に含まれる移動局３０の位置情報と、セル情報とに基づいて自局のセル半径を調整する。【選択図】図１
2013207563.tif 000002
【特許請求の範囲】
【請求項１】
基地局間通信が可能な複数の基地局と、いずれかの当該基地局に無線接続可能な移動局と、から構成される無線通信システムであって、
前記基地局は、
自局の設置状況に基づくセル情報を記憶する記憶部と、
前記移動局が送信した干渉情報を取得し、自局が干渉源であると判断すると、当該干渉情報に含まれる前記移動局の位置情報と、前記セル情報とに基づいて自局のセル半径を制御する基地局制御部と、を備え、
前記移動局は、
自局が行う無線通信において干渉を検出すると、当該干渉を検出した位置に関する前記位置情報を含む前記干渉情報を送信するよう制御する移動局制御部、を備える、
ことを特徴とする無線通信システム。
【請求項２】
前記記憶部は、取得した自局の設置状況に基づき、前記セル情報として自局の位置情報と、所定のセル半径とを記憶する、ことを特徴とする請求項１に記載の無線通信システム。
【請求項３】
前記移動局制御部は、前記干渉を検出すると、通信中の基地局に対して、前記干渉情報を送信するよう制御し、
前記移動局と通信中である基地局の基地局制御部は、前記取得した干渉情報と、前記記憶部に記憶するセル情報とを用いて、前記干渉情報に含まれる前記移動局の位置情報が、前記所定のセル半径内であるか否かを判定し、当該判定の結果、前記所定のセル半径内である場合は自局が干渉源でないと判断し、隣接する基地局に対して前記干渉情報を送信する、
ことを特徴とする請求項２に記載の無線通信システム。
【請求項４】
前記基地局制御部は、前記取得した干渉情報と、前記記憶部に記憶するセル情報とを用いて、前記干渉情報に含まれる前記移動局の位置情報が、前記所定のセル半径内であるか否かを判定し、当該判定の結果、前記所定のセル半径を超える場合は自局が干渉源と判断し、自局のセル半径を制御する、
ことを特徴とする請求項３に記載の無線通信システム。
【請求項５】
前記隣接する基地局の基地局制御部は、前記取得した干渉情報と、前記記憶部に記憶するセル情報とを用いて、前記干渉情報に含まれる前記移動局の位置情報が、前記所定のセル半径内であるか否かを判定し、当該判定の結果、前記所定のセル半径を超える場合は自局が干渉源と判断し、自局のセル半径を制御する、
ことを特徴とする請求項３または４に記載の無線通信システム。
【請求項６】
前記基地局制御部は、自局が干渉源の場合、送信出力を低減することで自局のセル半径を調整するよう制御する、ことを特徴とする請求項１乃至５の何れか一項に記載の無線通信システム。
【請求項７】
前記基地局制御部は、自局が干渉源の場合、チルト角を調整することで自局のセル半径を調整するよう制御する、ことを特徴とする請求項１乃至５の何れか一項に記載の無線通信システム。
【請求項８】
基地局間通信が可能な複数の基地局と、いずれかの当該基地局に無線接続可能な移動局と、から構成される無線通信システムの基地局であって、
自局の設置状況に基づくセル情報を記憶する記憶部と、
前記移動局が送信した干渉情報を取得し、自局が干渉源であると判断すると、当該干渉情報に含まれる前記移動局の位置情報と、前記セル情報とに基づいて自局のセル半径を調整するよう制御する基地局制御部と、を備えることを特徴とする基地局。
【請求項９】
基地局間通信が可能な複数の基地局と、いずれかの当該基地局に無線接続可能な移動局と、から構成される無線通信システムの移動局であって、
自局が行う無線通信において干渉を検出すると、当該干渉を生じさせた基地局に対してセル半径を調整させるため、当該干渉を検出した位置に関する前記位置情報を含む前記干渉情報を送信するよう制御する移動局制御部、を備えることを特徴とする移動局。
【請求項１０】
基地局間通信が可能な複数の基地局と、いずれかの当該基地局に無線接続可能な移動局と、から構成される無線通信システムの通信制御方法であって、
前記基地局が、自局の設置状況に基づくセル情報を記憶するステップと、
前記移動局が、自局が行う無線通信において干渉を検出すると、当該干渉を検出した位置に関する位置情報を含む干渉情報を送信するステップと、
前記基地局が、前記移動局が送信した干渉情報を取得し、自局が干渉源であると判断すると、当該干渉情報に含まれる前記移動局の位置情報と、前記セル情報とに基づいて自局のセル半径を調整するステップと、
を有することを特徴とする通信制御方法。
【発明の詳細な説明】
【技術分野】
【０００１】
本発明は、無線通信を行う、無線通信システム、基地局、移動局、および無線通信方法に関するものである。
【背景技術】
【０００２】
無線通信システムの基地局は、最大送信出力で無線信号を送信した際、当該無線信号を移動局が誤りなく受信できる領域（セル）を形成する。そして、各基地局が最大送信出力で無線信号を送信するときに形成するセル半径が同一と仮定し、セルの一部を重複させるようエリア設計することで圏外エリアを低減し、エリアカバー率を向上させている。
【０００３】
しかしながら、基地局の設置環境は様々であり、例えば、各基地局が設置される標高は異なる。そのため、設置環境によっては、同じ送信出力で無線信号を送信したとしても、各基地局のセル半径に違いが生じ、この違いは、基地局が送受信する無線信号に干渉を引き起こして通話品質を低下させてしまう場合がある。そして、この問題に対し、基地局で干渉が検出されると、無線信号の送信出力を低減させて干渉を防止する技術が提案されている（例えば、特許文献１）。
【先行技術文献】
【特許文献】
【０００４】
【特許文献１】特開２００４−２０７８４０号公報
【発明の概要】
【発明が解決しようとする課題】
【０００５】
しかしながら、干渉を検出した基地局が、干渉源である隣接基地局に対して干渉の検出を通知し、当該隣接基地局の送信出力を低減させても、その隣接基地局の設置環境によっては、当該隣接基地局のセル半径を適切な範囲まで、すぐに縮小できない場合がある。
【０００６】
本発明は、このような課題に鑑み、干渉源となる基地局のセル半径を適切に制御することで、適切なセルを形成することが可能な無線通信システム、基地局、移動局、および無線通信方法を提供することを目的としている。
【課題を解決するための手段】
【０００７】
上記課題を解決するために、本発明にかかる代表的な構成は、基地局間通信が可能な複数の基地局と、いずれかの当該基地局に無線接続可能な移動局と、から構成される無線通信システムであって、前記基地局は、自局の設置状況に基づくセル情報を記憶する記憶部と、前記移動局が送信した干渉情報を取得し、自局が干渉源であると判断すると、当該干渉情報に含まれる前記移動局の位置情報と、前記セル情報とに基づいて自局のセル半径を制御する基地局制御部と、を備え、前記移動局は、自局が行う無線通信において干渉を検出すると、当該干渉を検出した位置に関する前記位置情報を含む前記干渉情報を送信するよう制御する移動局制御部、を備えることを特徴とする。
【０００８】
また、前記記憶部は、取得した自局の設置状況に基づき、前記セル情報として自局の位置情報と、所定のセル半径とを記憶してもよい。
【０００９】
また、前記移動局制御部は、前記干渉を検出すると、通信中の基地局に対して、前記干渉情報を送信するよう制御し、前記移動局と通信中である基地局の基地局制御部は、前記取得した干渉情報と、前記記憶部に記憶するセル情報とを用いて、前記干渉情報に含まれる前記移動局の位置情報が、前記所定のセル半径内であるか否かを判定し、当該判定の結果、前記所定のセル半径内である場合は自局が干渉源でないと判断し、隣接する基地局に対して前記干渉情報を送信してもよい。
【００１０】
また、前記基地局制御部は、前記取得した干渉情報と、前記記憶部に記憶するセル情報とを用いて、前記干渉情報に含まれる前記移動局の位置情報が、前記所定のセル半径内であるか否かを判定し、当該判定の結果、前記所定のセル半径を超える場合は自局が干渉源と判断し、自局のセル半径を制御してもよい。
【００１１】
また、前記隣接する基地局の基地局制御部は、前記取得した干渉情報と、前記記憶部に記憶するセル情報とを用いて、前記干渉情報に含まれる前記移動局の位置情報が、前記所定のセル半径内であるか否かを判定し、当該判定の結果、前記所定のセル半径を超える場合は自局が干渉源と判断し、自局のセル半径を制御してもよい。
【００１２】
また、前記基地局制御部は、自局が干渉源の場合、送信出力を低減することで自局のセル半径を調整するよう制御してもよい。
【００１３】
また、前記基地局制御部は、自局が干渉源の場合、チルト角を調整することで自局のセル半径を調整するよう制御してもよい。
【００１４】
本発明にかかる他の構成は、基地局間通信が可能な複数の基地局と、いずれかの当該基地局に無線接続可能な移動局と、から構成される無線通信システムの基地局であって、自局の設置状況に基づくセル情報を記憶する記憶部と、前記移動局が送信した干渉情報を取得し、自局が干渉源であると判断すると、当該干渉情報に含まれる前記移動局の位置情報と、前記セル情報とに基づいて自局のセル半径を調整するよう制御する基地局制御部と、を備えることを特徴とする。
【００１５】
本発明にかかる他の構成は、基地局間通信が可能な複数の基地局と、いずれかの当該基地局に無線接続可能な移動局と、から構成される無線通信システムの移動局であって、自局が行う無線通信において干渉を検出すると、当該干渉を生じさせた基地局に対してセル半径を調整させるため、当該干渉を検出した位置に関する前記位置情報を含む前記干渉情報を送信するよう制御する移動局制御部、を備えることを特徴とする。
【００１６】
本発明にかかる他の構成は、基地局間通信が可能な複数の基地局と、いずれかの当該基地局に無線接続可能な移動局と、から構成される無線通信システムの通信制御方法であって、前記基地局が、自局の設置状況に基づくセル情報を記憶するステップと、前記移動局が、自局が行う無線通信において干渉を検出すると、当該干渉を検出した位置に関する位置情報を含む干渉情報を送信するステップと、前記基地局が、前記移動局が送信した干渉情報を取得し、自局が干渉源であると判断すると、当該干渉情報に含まれる前記移動局の位置情報と、前記セル情報とに基づいて自局のセル半径を調整するステップと、を有することを特徴とする。
【発明の効果】
【００１７】
干渉源となる基地局のセル半径を適切に制御することで、各基地局は適切なセルを形成し、干渉を低減させることができる。
【図面の簡単な説明】
【００１８】
【図１】本実施形態に係る無線通信システムの概略的な構成を示したブロック図である。
【図２】本実施形態に係る基地局の概略的な構成を示したブロック図である。
【図３】本実施形態に係る移動局の概略的な構成を示したブロック図である。
【図４】本実施形態に係る基地局における第１の無線通信処理を示したフローチャートである。
【図５】本実施形態に係る移動局における第１の無線通信処理を示したフローチャートである。
【図６】本実施形態に係る基地局における第２の無線通信処理を示したフローチャートである。
【図７】本実施形態に係る基地局における第２の無線通信処理を示したフローチャートである。
【図８】本実施形態に係る移動局における第２の無線通信処理を示したフローチャートである。
【発明を実施するための形態】
【００１９】
以下、本発明の一実施形態を図面に基づいて詳細に説明する。
【００２０】
図１は、本発明の一実施形態に係る通信システムの構成を示す図である。通信システム１０は、複数の基地局２０（基地局２０ａ、２０ｂ、２０ｃ）と、移動局３０と、ネットワーク４０とから構成される。
【００２１】
基地局２０は、移動局３０に無線接続する。そして、基地局２０は、ネットワーク４０からデータを受信し、当該データを移動局３０に送信する。また、基地局２０は、移動局３０からデータを受信し、ネットワーク４０に送信する。さらに、基地局２０は、ネットワーク４０を介して、または、直接に、他の基地局２０とデータを送受信する。
【００２２】
図２は、本実施形態に係る基地局の構成を示す図である。基地局２０は、通信部２１０と、インターフェース（Ｉ／Ｆ）部２２０と、記憶部２３０と、制御部２４０と、アンテナＡＮＴとを備えている。
【００２３】
通信部２１０は、アンテナＡＮＴを介して移動局３０から送信される上り無線信号を受信してベースバンド信号に変換（ダウンコンバート）後に、復調及び復号処理を行うことでデータを得る。通信部２１０は、得られたデータを制御部２４０に出力する。
【００２４】
また、通信部２１０は、制御部２４０からのデータの符号化及び変調を行ってベースバンド信号を得た後に、該ベースバンド信号を下り無線信号に変換（アップコンバート）する。通信部２１０は、アンテナＡＮＴを介して移動局３０に下り無線信号を送信する。
【００２５】
Ｉ／Ｆ部２２０は、ネットワーク４０から移動局３０宛のデータを受信する。また、ＩＦ部２２０は、移動局３０から受信したデータを、ネットワーク４０に向けて送信する。さらに、Ｉ／Ｆ部２２０は、ネットワーク４０を介して、または、直接に、他の基地局２０とデータを送受信する。
【００２６】
記憶部２３０は、例えばメモリによって構成され、基地局２０における制御などに用いられる各種情報が記憶される。また、記憶部２３０は、自局のセルに関するセル情報が記憶される。このセル情報は、自局の設置位置情報や、所定のセル半径に関する情報である。この自局の設置位置情報は、基地局２０が備えるＧＰＳ（図示しない）で取得されてもよいし、基地局２０の設置時に事業者が入力してもよい。また、記憶される所定のセル半径は、各基地局が最大送信出力で無線信号を送信するときに形成可能なセル半径であってもよいし、事業者が予め設定したセル半径であってもよい。このセル半径に関する情報は、基地局２０の設置時に事業者が入力してもよいし、設置後、運用開始時に事業者がネットワーク４０を介して送信し、基地局２０に受信させてもよい。
【００２７】
制御部２４０は、例えばＣＰＵによって構成され、基地局２０が具備する各種機能を制御する。また、制御部２４０は、自局が、所定のセル半径を超えて無線通信を行っているために生じた干渉の干渉源であると判断すると、自局のセル半径を制御する。制御部２４０は、自局のセル半径を制御するにあたり、自局が無線信号を送信する際の送信出力を低減したり、チルト角を調整したりする。なお、制御部２４０におけるセル半径の制御に関する詳細は、後述する。
【００２８】
図３は、本実施形態に係る移動局の構成を示す図である。移動局３０は、通信部３１０と、位置情報取得部３２０と、記憶部３３０と、制御部３４０と、アンテナＡＮＴとを備えている。
【００２９】
通信部３１０は、アンテナＡＮＴを介して基地局２０から送信される下り無線信号を受信してベースバンド信号に変換（ダウンコンバート）後に、復調及び復号処理を行うことでデータを得る。通信部３１０は、得られたデータを制御部３４０に出力する。
【００３０】
また、通信部３１０は、制御部３４０からのデータの符号化及び変調を行ってベースバンド信号を得た後に、該ベースバンド信号を上り無線信号に変換（アップコンバート）する。通信部３１０は、アンテナＡＮＴを介して基地局２０に上り無線信号を送信する。
【００３１】
位置情報取得部３２０は、例えば、ＧＰＳにより構成され、移動局３０の位置情報を取得する。
【００３２】
記憶部３３０は、例えばメモリによって構成され、移動局３０における制御などに用いられる各種情報が記憶される。
【００３３】
制御部３４０は、例えばＣＰＵによって構成され、移動局３０が具備する各種機能を制御する。また、制御部３４０は、必要に応じて、基地局２０に対して情報を送信する。なお、制御部３４０における情報の送信に関する詳細は、後述する。
【００３４】
次に、無線通信システム１０における基地局２０および移動局３０の無線通信処理を、図４〜８を用いて説明する。
【００３５】
（第１の無線通信処理）
まず、図４〜５を用いて、図１に示される無線通信システム１０における基地局２０および移動局３０における第１の無線通信処理を説明する。
【００３６】
図５は、図１に示される、基地局２０ａと無線通信中の移動局３０における第１の無線通信処理を示すフローチャートである。
【００３７】
まず、図５のステップＳ５０１において、移動局３０の制御部３４０は、無線通信中の基地局２０ａが送信した無線信号の受信品質値（例えば、ＲＳＳＩ）から、干渉が生じたことを検出する。
【００３８】
ステップＳ５０２において、制御部３４０は、位置情報取得部３２０に、移動局３０の現在位置に関する位置情報を取得させる。
【００３９】
ステップＳ５０３において、制御部３４０は、位置情報取得部３２０が取得した位置情報を干渉情報に含め、通信部３１０を介して無線通信中の基地局２０ａに送信する。
【００４０】
次に、図４に示されるフローチャートを用いて、図１に示される無線通信システム１０における、移動局３０と無線通信中の基地局２０ａ、および、当該基地局２０ａに隣接する基地局２０ｂ、２０ｃにおける第１の無線通信処理について説明する。
【００４１】
まず、図４のステップＳ４０１において、基地局２０ａの制御部２４０は、通信部２１０またはＩ／Ｆ部２２０を介して干渉情報を受信したか否かを監視している。
【００４２】
そして、基地局２０ａの制御部２４０は、通信部２１０を介して移動局３０からの干渉情報を受信すると（Ｓ４０１Ｙｅｓに相当。）、ステップＳ４０２において、基地局２０ａの制御部２４０は、Ｉ／Ｆ部２２０を介して隣接する基地局２０ｂ、２０ｃに、移動局３０が干渉を検出した時点における、当該他の基地局２０に無線接続する移動局３０との無線通信におけるスケジューリング（無線リソースの割当）情報を要求する。スケジューリング情報を要求された基地局２０ｂ、２０ｃの制御部２４０は、記憶部２３０に記憶するスケジューリング情報を基地局２０ａに送信し、基地局２０ａの制御部２４０は、Ｉ／Ｆ部２２０を介して、基地局２０ｂのスケジューリング情報を受信する。
【００４３】
ステップＳ４０３において、基地局２０ａの制御部２４０は、受信したスケジューリング情報から干渉の有無を判断する。
【００４４】
基地局２０ａの制御部２４０は、干渉が生じていると判断すると（ステップＳ４０３Ｙｅｓに相当。）、ステップＳ４０４において、干渉情報に含まれる位置情報が示す位置が、自局の設置位置情報が示す位置から、自局の所定のセル半径内であるか否かを判定する。
【００４５】
一方、基地局２０ａの制御部２４０は、干渉が生じていないと判断すると（ステップＳ４０３Ｎｏに相当。）、ステップＳ４０１に移行する。
【００４６】
基地局２０ａの制御部２４０は、移動局３０の位置情報が示す位置が、自局の所定のセル半径内である場合（ステップＳ４０４Ｙｅｓに相当）、自局が干渉源でないと判断し、ステップＳ４０５において、Ｉ／Ｆ部２２０を介して、隣接する基地局２０ｂ、２０ｃに対して、移動局３０から受信した干渉情報を送信し、その後、ステップＳ４０１に移行して上記処理を継続する。
【００４７】
一方、基地局２０ａの制御部２４０は、移動局３０の位置情報が示す位置が、自局の所定のセル半径外である場合（ステップＳ４０４Ｎｏに相当）、自局が干渉源であると判断し、ステップＳ４０６において、位置情報が示す位置を用いて、自局が無線信号を送信する際の送信出力を低減したり、チルト角を調整したりすることで、自局のセル半径を制御した後、ステップＳ４０１に移行し、上記処理を継続する。
【００４８】
次に、基地局２０ａにおける、ステップＳ４０５の処理により、基地局２０ｂの制御部２４０は、Ｉ／Ｆ部２２０を介して、基地局２０ａから移動局３０の干渉情報を受信する（Ｓ４０１Ｙｅｓに相当。）。
【００４９】
そして、干渉情報を受信した基地局２０ｂ、２０ｃは、基地局２０ａと同様に、ステップＳ４０２〜ステップＳ４０６のような処理を行うことで、自局が干渉源であるか否かを判断し、判断結果に応じた処理を行う。
【００５０】
なお、基地局２０ａは、自局が干渉源でないと判断した場合、隣接する基地局２０ｂ、２０ｃに移動局３０から受信した干渉情報を送信したが、予め隣接する複数の他の基地局２０の位置情報を記憶しておき、当該記憶する位置情報と、スケジューリング情報とを利用して、干渉源と推定できる他の基地局２０に対してのみ、移動局３０から受信した干渉情報を送信してもよい。
【００５１】
さらに、移動局３０は、干渉情報に、位置情報だけでなく、当該位置で受信した他の基地局２０の下り制御信号に含まれる識別情報をさらに含めて送信し、基地局２０は、自局が干渉源でないと判断した場合、当該識別情報に対応する隣接する他の基地局２０に対してのみ、移動局３０から受信した干渉情報を送信してもよい。
【００５２】
（第２の無線通信処理）
次に、図６〜８を用いて、図１に示される無線通信システム１０における基地局２０および移動局３０における第２の無線通信処理を説明する。
【００５３】
図８は、図１に示される、基地局２０ａと無線通信中の移動局３０における第２の無線通信処理を示すフローチャートである。また、図６は、図１に示される、移動局３０と無線通信中の基地局２０ａにおける第２の無線通信処理を示すフローチャートである。
【００５４】
まず、図８のステップＳ８０１において、移動局３０の制御部３４０は、無線通信中の基地局２０ａが送信した無線信号の受信品質値（例えば、ＲＳＳＩ）を定期的に取得する。
【００５５】
ステップＳ８０２において、制御部３４０は、取得した受信品質値に関する受信品質情報を、通信部３１０を介して無線通信中の基地局２０ａに送信する。
【００５６】
図６のステップＳ６０１において、基地局２０ａの制御部２４０は、通信部２１０を介して受信品質情報を受信したか否かを監視している。
【００５７】
そして、基地局２０ａの制御部２４０は、通信部２１０を介して移動局３０からの受信品質情報を受信すると（Ｓ６０１Ｙｅｓに相当。）、ステップＳ６０２において、基地局２０ａの制御部２４０は、取得した受信品質情報が示す受信品質値が劣化し、干渉の発生の有無を推定する。
【００５８】
基地局２０ａの制御部２４０は、干渉が生じていると推定すると（ステップＳ６０２Ｙｅｓに相当。）、ステップＳ６０３において、移動局３０に、移動局３０が送信した受信品質情報を取得した時点における位置情報を要求する。
【００５９】
図７のステップＳ８０３において、移動局３０の制御部３４０は、通信部３１０を介して基地局３０からの要求を受信する。
【００６０】
ステップＳ８０４において、制御部３４０は、位置情報取得部３２０に、移動局３０の現在位置に関する位置情報を取得させる。
【００６１】
ステップＳ８０５において、制御部３４０は、基地局２０から送信される下り制御情報を受信し、その下り制御情報に含まれる、基地局２０の識別情報と取得する。
【００６２】
ステップＳ８０６において、制御部３４０は、取得した位置情報と、基地局２０の識別情報とを、通信部３１０を介して無線通信中の基地局２０ａに送信する。
【００６３】
図６のステップＳ６０４において、基地局２０ａの制御部２４０は、通信部２１０を介して移動局３０から、移動局３０の位置情報と、受信した下り制御情報に含まれる基地局２０の識別情報を受信する。
【００６４】
基地局２０ａの制御部２４０は、ステップＳ６０５において、移動局３０から受信した位置情報が示す位置が、自局の設置位置情報が示す位置から、自局の所定のセル半径内であるか否かを判定する。
【００６５】
基地局２０ａの制御部２４０は、移動局３０の位置情報が示す位置が、自局の所定のセル半径内である場合（ステップＳ６０５Ｙｅｓに相当）、自局が干渉源でないと判断し、ステップＳ６０６において、移動局３０から受信した下り制御情報に含まれる基地局２０の識別情報を用いて、干渉源と推定される他の基地局２０（ここでは、干渉源を基地局２０ｃとする。）を特定する。
【００６６】
ステップＳ６０７において、基地局２０ａの制御部２４０は、干渉源と特定した基地局２０ｃに対して、Ｉ／Ｆ部２２０を介して、移動局３０から受信した位置情報とともに、セル半径を制御するよう要求し、その後、ステップＳ６０１に移行して上記処理を継続する。
【００６７】
一方、基地局２０ａの制御部２４０は、移動局３０の位置情報が示す位置が、自局の所定のセル半径外である場合（ステップＳ６０５Ｎｏに相当）、自局が干渉源であると判断し、ステップＳ６０８において、位置情報が示す位置を用いて、自局が無線信号を送信する際の送信出力を低減したり、チルト角を調整したりすることで、自局のセル半径を制御した後、ステップＳ６０１に移行し、上記処理を継続する。
【００６８】
次に、図７を用いて、図１に示される基地局２０ａからセル半径を制御するよう要求された基地局２０ｃにおける第２の無線通信処理を示すフローチャートである。
【００６９】
ステップＳ７０１において、基地局２０ｃの制御部２４０は、Ｉ／Ｆ部２２０を介して、基地局２０ａからセル半径を制御するよう要求されるとともに、移動局３０の位置情報を受信する。
【００７０】
ステップＳ７０２において、基地局２０ｃの制御部２４０は、受信した位置情報が示す位置を用いて、自局が無線信号を送信する際の送信出力を低減したり、チルト角を調整したりすることで、自局のセル半径を制御する。
【００７１】
なお、基地局２０は、干渉源と推定される他の基地局２０を特定するにあたり、当該他の基地局２０から送信される下り制御情報を用いたが、さらに、他の基地局２０におけるスケジューリング情報を取得して利用することで、干渉源を特定する際の精度を向上させてもよい。
【００７２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００７３】
例えば、各部材、各手段、各ステップなどに含まれる機能などは論理的に矛盾しないように再配置可能であり、複数の手段やステップなどを１つに組み合わせたり、或いは分割したりすることが可能である。
【００７４】
また、上記の実施例においては、基地局が干渉源を判断していたが、無線通信システムに上位装置を設け、当該上位装置がネットワークを介して各基地局から情報を取得して干渉源となる基地局を特定し、特定した基地局に対してセル半径の制御を行うよう要求してもよい。
【符号の説明】
【００７５】
１０  通信システム、２０  基地局、３０  移動局、４０  ネットワーク、２１０  通信部、２２０  Ｉ／Ｆ部、２３０  記憶部、２４０  制御部、３１０  通信部、３２０  位置情報取得部、３３０  記憶部、３４０  制御部、ＡＮＴ  アンテナ。
【図１】
2013207563.tif 000003
【図２】
2013207563.tif 000004
【図３】
2013207563.tif 000005
【図４】
2013207563.tif 000006
【図５】
2013207563.tif 000007
【図６】
2013207563.tif 000008
【図７】
2013207563.tif 000009
【図８】
2013207563.tif 000010